(57)【特許請求の範囲】
【請求項１】
コンクリートダム堤の建設に際し、該コンクリートダム堤内にゲート操作室としての構造物を構築する方法であって、コンクリートダム堤内部分に上端が開放する空間を規定する周壁部を形成すること、この周壁部により規定された前記空間の上方からこの空間の開放端を横切って配置され、両端部が前記周壁部の上端で支持される複数のプレキャストコンクリート部材により天井部を形成すること、この天井部の形成に先立って、ゲート操作に必要な機械設備、油圧ユニットおよびそれらの操作、制御装置等の諸設備を上端開放の空間内にその開放端から吊り上げ装置を利用して搬入、設置を行うこと、この天井部を形成した後、天井部の上方に主鉄筋および配力筋を施し、生コンクリートを打設すること、を含むコンクリートダム堤内構造物の構築方法。
【請求項２】
前記プレキャストコンクリート部材は梁部材であり、この梁部材は相互に
近接し且つ並行して配置され、近接する前記梁部材間にシーリング処理を施した後、該梁部材上に生コンクリートが打設されることを特徴とする請求項１に記載のコンクリートダム堤内構造物の構築方法。
【請求項３】
前記梁部材はＲＣ梁部材であることを特徴とする請求項１又は２に記載の
コンクリートダム堤内構造物の構築方法。
【発明の詳細な説明】
【０００１】
【発明の属する技術分野】
本発明はコンクリートダム堤内構造物の構築方法に関し、更に詳細にはコンクリートダム堤内に放流管路やゲート操作室のような空間を規定する構造物を構築する方法に関する。
【０００２】
【従来の技術】
コンクリートダム堤内には、一般的に、例えばダムの過剰な貯水を放流するための放流管路あるいは流量制御のためにゲートの開閉を制御するゲート操作室のような構造物が組み込まれている。このような堤内構造物は、ダム堤をその下部から上部に向けて順次建設する際に、このダム堤の建設に伴って堤内部分に順次構築されていく。
【０００３】
コンクリートダム堤内部分の構造物の構築では、その構造物の床部および周壁部が形成された後、周壁部の上部に天井用の型枠が組み立てられ、この型枠の組立後、生コンクリートが打設されることにより、構造物の天井部が形成され、これら構造物の各部はダム堤本体の一部となる。従って、構造物の構築後は、この構築物はダム堤内に埋設された状態になる。
【０００４】
【発明が解決しようとする課題】
このように、従来では、構造物の天井部の形成のために、型枠を使用していることから、天井部への打設コンクリートの硬化後、その天井部の形成に使用した型枠およびこの型枠の支持に使用した支保工の撤去およびダム堤外への搬出作業が必要になる。
【０００５】
ところが、この支保工および型枠の撤去作業は、構造物の比較的狭い空間内で行われる。しかも、撤去材料の搬出作業は、ダム堤内の閉鎖空間での作業となることから、クレーンのような吊り上げ装置を使用することはできず、人手による搬出作業となる。
【０００６】
そのため、撤去材料を人手による搬出に適するように小さく分断して解体する必要がある。このことから、従来のこの種の構造物の構築方法では、支保工および型枠に使用した材料の撤去作業および搬出作業に非常に手間が掛かるという問題があった。また、狭い閉鎖空間での人手による撤去作業および搬出作業は、危険でもある。
【０００７】
本発明の目的は、かかる従来の問題点を解決するためになされたもので、作業の単純化および作業の安全性を高めることのできるコンクリートダム堤内構造物の構築方法を提供することにある。
【０００８】
【課題を解決するための手段】
本発明はコンクリートダム堤内構造物の構築方法であり、前述の技術的課題を解決するために、以下のように構成されている。すなわち、本発明は、コンクリートダム堤の建設に際し、コンクリートダム堤内に構造物を構築する方法において、コンクリートダム堤内部分に上端が開放する空間を規定する周壁部を形成すること、この周壁部により規定された空間の上方からこの空間の開放端を横切って配置され、両端部が前記周壁部の上端で支持される複数のプレキャストコンクリート部材により天井部を形成することを特徴とする。以下、各構成要素について説明する。
【０００９】
（周壁部の形成）
周壁部とは、コンクリートダム堤内に構築される例えばゲート操作室や放流管路のような構築物の周壁部であり、周壁部の形成とは、この構築物の床部から立ち上がり、上方に開放する空間を規定する周壁部の形成工程である。この周壁部の形成工程自体は、従来の構築物の構築方法におけると同様であり、周壁部は、例えば生コンクリートの現場打ち等により形成することができる。
【００１０】
（天井部の形成）
天井部は、従来では、型枠を用い、この型枠内への生コンクリートの打設により天井部が形成されていた。これに対し、本発明では、予め形成された複数のプレキャストコンクリート部材が、前記周壁部の上端で支持されるように、しかもこの周壁部により規定された空間の上端開放部分を閉鎖するように、この空間の開放部を横切って上方から配置され、このプレキャストコンクリート部材により天井部が形成される。このプレキャストコンクリート部材として、鉄筋が組み込まれたプレキャストコンクリート部材を用いることができる。
【００１１】
＜本発明における付加的構成＞
本発明におけるコンクリートダム堤内構造物の構築方法は、前述した必須の構成要素からなるが、これらの構成要素に加えて以下の構成要素を加える場合にも成立する。その構成要素とは、プレキャストコンクリート部材を梁部材とし、この梁部材を前記周壁部の上端で支持すると共にこの周壁部により規定された開放端を閉鎖するように相互に近接し且つ並行して配置し、近接する梁部材間にシーリング処理を施した後、この梁部材上に生コンクリートを打設することである。更に、プレキャストコンクリート部材の具体例として、予め鉄筋のような補強剤により補強されたＲＣ梁部材を使用することが望ましい。
【００１２】
本発明に係るコンクリートダム堤内構造物の構築方法では、構造物の天井部は、この構造物の周壁部の形成後に、周壁部により規定される空間の上端開放部分を閉鎖するようにこの開放部を横切って上方から配置され、周壁部の上端で支持される複数のプレキャストコンクリート部材により形成される。
【００１３】
そのため、天井部の形成に従来のような型枠および支保工が用られることはなく、従って、構造物の形成後、この構造物の閉鎖空間内での型枠および支保工の解体および搬出作業が不要となる。
【００１４】
【発明の実施の形態】
以下、本発明のコンクリートダム堤内構造物の構築方法を図に示される実施の形態について更に詳細に説明する。図１は、本発明に係るコンクリートダム堤内構造物の構築方法をゲート操作室の構築に適用した例を示す斜視図である。
【００１５】
コンクリートダム堤１０の建設に際し、このコンクリートダム堤１０の堤体内にゲート操作室１２を構築するために、生コンクリートの打設により、下部より上部へ向けて順次形成される堤本体のコンクリート既設部分１１の所定箇所に、例えば多数のプレキャストコンクリート板１３を組み合わせた矩形枠体１４が構成される。
【００１６】
プレキャストコンクリート板１３からなる矩形枠体１４の外方には、生コンクリートが打設されており、このコンクリート既設部分１１が堤本体の一部を構成する。また、図１には示されていないが、矩形枠体１４の下部への生コンクリートの打設により床部が形成されている。この床部およびプレキャストコンクリート板１３による矩形枠体１４すなわち周壁部１４により、コンクリート既設部分１１内には、ゲート操作室１２のための上端開放の空間Ｓが確保されている。
【００１７】
ゲート操作室１２のための前記した床部および周壁部１４が形成された後、このゲート操作室１２の天井部が形成されるが、この天井部の形成に先立って、ゲート操作に必要な機械設備、油圧ユニットおよびそれらの操作、制御装置等の諸設備が、上端開放の空間Ｓ内にその開放端から、例えばクレーン装置のような吊り上げ装置を利用して搬入され、設置される。
【００１８】
ところで、支保工により支持され且つ天井部の形成後に撤去される型枠を利用して天井部を形成する従来の方法では、この型枠のための支保を周壁部１４で支持させたり又は空間Ｓ内に立てる必要があり、この支保の周壁部１４への取り付け位置又は空間Ｓ内に立てられる支保の位置が、ゲート操作室１２のための空間Ｓに搬入された諸設備に対してより大きく制限を受けることになる。そのため、支保荷重にアンバランスを生じることがあり、型枠の強度に問題を生じることがあった。
【００１９】
しかしながら、この実施形態にかかる構築方法では、支保のための格別な手段を必要とすることなく天井部を形成することができ、ゲート操作室１２のための空間Ｓに搬入された諸設備の影響を受けることなく天井部を形成することができる。
【００２０】
すなわち、上端開放の空間Ｓに前述した諸設備の搬入、設置後、空間Ｓの開放端を閉鎖するように、例えばクレーン装置のような吊り上げ装置１５を用いて、多数のプレキャストコンクリート部材１６が上方より周壁部１４の上端に相互に接するように整列して配置される。プレキャストコンクリート部材１６として、図示の例では、内部に補強部材１６ａとして鉄筋が組み込まれたＲＣ（鉄筋コンクリート）梁部材が用いられている。
【００２１】
各プレキャストコンクリート部材１６は、周壁部１４により規定された空間Ｓの開放口を横切るに充分な長さ寸法を有する。各プレキャストコンクリート部材１６のそれぞれの両端部は、図２に示されているように、周壁部１４により規定された矩形開口の互いに対向する縁部を越えて該開口の外方へ伸び、両端部が周壁部１４の上端の互いに対向する縁部分上に乗るように設置される。
【００２２】
各プレキャストコンクリート部材１６は、互いに並行しかつ隣り合うプレキャストコンクリート部材１６が相互に接するように配置され、このプレキャストコンクリート部材１６の集合により、ゲート操作室１２の天井部１７が形成される。
【００２３】
図３に示されているように、周壁部１４の上端部近傍のコンクリート既設部分１１の上面に、予め高さレベルが調整された高さ調整用のＬ字鋼１８を埋設しておくことができる。高さ調整用Ｌ字鋼１８を用いることにより、各プレキャストコンクリート部材１６の高さレベルを高い精度で一致させることができ、これにより、天井部１７に高い平坦度を確保することができる。
【００２４】
また、図３に示す例では、コンクリート既設部分１１と周壁部１４を構成する各プレキャストコンクリート板１３との間に、両者の強固な結合を図るための従来よく知られた支保鋼材１９が配置されている。
【００２５】
多数のプレキャストコンクリート部材１６の配置により天井部１７を構成した後、この天井部１７の上面を含むコンクリート既設部分１１の上方には、コンクリートが打設されるが、このコンクリートの打設前に、各プレキャストコンクリート部材１６の外周面のペースト分を洗い出し、打継ぎ面処理を施すことにより、天井部１７とその上方に打設される生コンクリートとの強固な結合を得ることができる。生コンクリートの打設に先立ち、必要に応じて、天井部１７の上方に例えば主鉄筋２０ａおよび配力筋２０ｂ等の配筋２０を施すことができる。
【００２６】
また、図４に示されているように、天井部１７上に生コンクリートを打設するに先立ち、隣接するプレキャストコンクリート部材１６間に弾性シーリング材料２１ａあるいは粘着性ゴムシート２１ｂのようなシーリング手段２１を配置するシーリング処理を施すことにより、天井部１７上に打設される生コンクリートのノロ漏れを確実に防止することができる。
【００２７】
このような実施形態に係るコンクリートダム堤内構造部の構築方法では、天井部１７がそれぞれの両端を周壁部１４の上端に載せて支持される多数のプレキャストコンクリート部材１６によって構成されることから、従来のような型枠および支保を用いることなく天井部を形成することができる。
【００２８】
従って、天井用のこれら型枠および支保工の撤去および搬出作業が不要となることから、経費の削減および作業の迅速化を図ることができる。また、プレキャストコンクリート部材１６の支持のために、周壁部１４の内周面に支保のためのブラケット等を取り付ける必要がないことから、ゲート操作室１２内に配置される諸設備の影響を受けることなく、天井部１７に適正な強度を確保することができる。
【００２９】
本発明に係る構築方法は、先に説明したゲート操作室の構築に限らず、例えば放流管路のようなダム堤内に構築される種々の構造物の構築に適用することができる。
【００３０】
【発明の効果】
以上に説明したように、本発明のコンクリートダム堤内構造物の構築方法によれば、構造物の天井部を、周壁部の上端に支持されるプレキャストコンクリート部材により形成するようにしたことから、天井部のための型枠およびこの型枠を支持するための支保工を用いることなく構造物の天井部を形成することができ、その結果、これら天井部の形成のための型枠および支保工の撤去作業および搬出作業が不要となる。
【００３１】
このように、型枠および支保工の撤去および搬出がなくなることからダム堤内に種々の構造物を構築する際の作業が非常に楽になり、且つ作業の安全性も向上する。また、構造物の天井部のための型枠を組む高度な熟練作業員が不要となり、また構造物内の狭い閉鎖空間での型枠等の撤去材料の人手による取り扱が不要となることから、経費の節減に大きな効果が得られる。
【図面の簡単な説明】
【図１】本発明の一実施形態に係るコンクリートダム堤内構造物の構築方法における天井部の形成工程をコンクリートダム堤内のゲート操作室の構築に適用した例について示すゲート操作室の部分斜視図である。
【図２】図１に示される構築中のゲート操作室上部にプレキャストコンクリート部材を配置した状態を示す平面図である。
【図３】図２に示されるコンクリートダム堤内のゲート操作室を３−３線に沿って切断して示す断面図である。
【図４】図２に示されるコンクリートダム堤内のゲート操作室を４−４線に沿って切断して示す断面図である。
【符号の説明】
１０  コンクリートダム堤
１１  コンクリート既設部分
１２  ゲート操作室
１３  プレキャストコンクリート板
１４  周壁部
１５  吊り上げ装置
１６  プレキャストコンクリート部材
１７  天井部
１８  Ｌ字鋼
１９  支保鋼材
２０  配筋
２１  シーリング手段
【図１】
0003752012.tif 000002
【図２】
0003752012.tif 000003
【図３】
0003752012.tif 000004
【図４】
0003752012.tif 000005